(57)【要約】【課題】嗅覚と心理的ニーズを適切に満足させることができる、香り提供装置の提供。【解決手段】本考案の香り提供装置は接続部材と滴下装置を含み、そのうち、前記接続部材は柱状を呈し、２つの接続端面を備え、且つ、外側面上に粘着テープが設けられ、使用者がこの粘着テープを剥がすことができ、前記滴下装置は管体を備え、その内部に液体を入れることができ、前記管体は一端が前記接続部材の接続端面に接続され、他端には突起状の突起部が設けられ、前記突起部上に複数の通孔が形成され、前記滴下装置内の液体を前記通孔から滴下することができる。【選択図】図２
0003124858.tif 000002
【実用新案登録請求の範囲】
【請求項１】
接続部材と滴下装置を含み、そのうち、前記接続部材は柱状を呈し、２つの接続端面を備え、且つ、外側面上に粘着テープを設け、使用者がこの粘着テープを剥がすことができ、前記滴下装置は管体を備え、その内部に液体を入れることができ、前記管体の一端を前記接続部材の接続端面に接続し、他端に突起状の突起部を設け、前記突起部上に複数の通孔を形成し、前記滴下装置内の液体を前記通孔から滴下することができる構成としたことを特徴とする香り提供装置。
【請求項２】
前記滴下装置の突起部上に蓋体を設置し、前記蓋体上面に複数の穿通孔を設け、前記蓋体を回転させて前記穿通孔を前記通孔の位置にあわせたとき、前記滴下装置内の液体が滴下される構成としたことを特徴とする請求項１に記載の香り提供装置。
【請求項３】
前記管体の前記突起部に相対する側に連結キャップを設置し、前記液体の充填口として用い、且つ、前記連結キャップと前記管体間にパッキンを設置した上で両者を螺合して固定する構成としたことを特徴とする請求項２に記載の香り提供装置。
【請求項４】
前記接続部材の２つの接続端面上にそれぞれボルトを設け、前記連結キャップの対応する箇所にネジ孔を形成し、前記接続部材と前記連結キャップを螺合して固定する構成としたことを特徴とする請求項３に記載の香り提供装置。
【請求項５】
前記接続部材の他方の側の接続端面上にレーザーポインタや口紅、塗布装置などを螺合して接続することができる構成としたことを特徴とする請求項４に記載の香り提供装置。
【請求項６】
前記塗布装置が管体を備え、その内部に液体を充填することができ、前記塗布装置の一端に押し出し部を穿設し、前記押し出し部に相対する側に連結キャップを設置し、前記液体の充填口として用いると共に、前記連結キャップと前記管体間にパッキンを設置した上で両者を螺合して固定する構成としたことを特徴とする請求項５に記載の香り提供装置。
【考案の詳細な説明】
【技術分野】
【０００１】
本考案は香り提供装置に関し、特に、使用者が特殊な香りに対する嗅覚的享受に用いることができ、使用者の心理的ニーズを満たす、香り提供装置に関する。
【背景技術】
【０００２】
医学が進歩し、現在糖尿病患者や減量中の人々の甘味に対するニーズは、人工甘味料で一般食品に含まれる糖類を代替することができるが、人工甘味料は人工合成物であるため、往々にして糖尿病患者や減量中の人々が食用する過程において、これら食品に対し疑念を生じることがある。このため、このような状況においては自己の意思の力に頼り甘いものを食べたいという欲望を克服しなければならない。
【０００３】
このほか、長期的に飲酒が病みつきになってしまった人や、コーヒー等特殊な食べ物に対し病みつきになってしまった人は、その習慣を止めたいときに、飲酒やそれら特殊な食べ物の食用がすでに習慣になってしまっているため、始めたばかりの頃は飲酒やそれら特殊な食べ物の食用をしたいと感じるとき、往々にして同様に自分の意志の力に頼り飲食の欲望を制御しなければならない。
【０００４】
このため、現在糖尿病患者や減量中の人、またはある食べ物の食用習慣を止めようとしている人に対し、ある食べ物に対する欲望の克服を補助し、且つ、これら人々のある食べ物に対する特殊な飲食の欲望を満たすことができる方法が求められている。  
【考案の開示】
【考案が解決しようとする課題】
【０００５】
本考案は現在糖尿病患者や減量中の人、またはある食べ物の食用習慣を止めようとしている人が食べ物に対する欲望を克服する有効な方法がなく、それら特殊な食べ物に対し自分の意思の力に頼り欲望を制御しなければならないという状況に鑑みたものである。
【０００６】
本考案の主な目的は、糖尿病患者や減量中の人、またはある食べ物の食用習慣を止めようとしている人がある特殊な食べ物に欲望を感じるとき、嗅覚と味覚を適切に満足させることができる、香り提供装置を提供することにある。
【課題を解決するための手段】
【０００７】
上述の目的を達するために用いる主な技術的手段として、この特殊な香り提供装置は、接続部材と滴下装置を含み、そのうち、前記接続部材は柱状を呈し、２つの接続端面を備え、且つ、外側面上に粘着テープが設けられ、使用者がこの粘着テープを剥がすことができ、前記滴下装置は管体を備え、その内部に液体を入れることができ、前記管体は一端が前記接続部材の接続端面に接続され、他端には突起状の突起部が設けられ、前記突起部上に複数の通孔が形成され、前記滴下装置内の液体を前記通孔から滴下することができる。
【０００８】
使用者がある食べ物に対し食用の欲望を感じたとき、前記粘着テープを前記接続部材から剥がし、使用者の衣服や体の部位、または使用者の嗅覚の届く箇所に貼り付けた後、前記滴下装置の液体を前記粘着テープ上に滴下させ、この液体は使用者が好きな香りであることから、使用者の嗅覚的ニーズを満たし、さらに使用者の心理的ニーズまでも満たすことができる。
【０００９】
そのうち、上述の滴下装置の突起部上には蓋体を設け、前記蓋体の端面上に複数の穿通孔を設け、この蓋体の穿通孔を回転させて前記通孔に合わせると、前記滴下装置内の液体が滴下するようにすることができる。
【００１０】
そのうち、上述の管体の前記突起部に対応する箇所に連結キャップを設け、液体の充填口として用いると共に、前記連結キャップと前記管体間を螺合して固定し、さらにパッキンを設置する。
【００１１】
そのうち、上述の接続部材の２つの接続端面上にボルトをそれぞれ形成し、上述の連結キャップの対応する箇所にネジ孔を形成し、前記接続部材と前記連結キャップを螺合して固定することができるようにする。
【００１２】
そのうち、上述の接続部材の他端の接続端面上にはレーザーポインタ、口紅、塗布装置などを螺合し接続することができる。
【００１３】
そのうち、上述の塗布装置は管体を備え、内部に液体を入れることができ、前記塗布装置の一端には押し出し部を穿置し、前記押し出し部に相対する箇所に連結キャップを設け、液体の充填口として用いると共に、前記連結キャップと前記管体間を螺合して固定し、さらにパッキンを設置する。        
【実施例１】
【００１４】
図１に本考案の最良の実施例１の立体外観図を示す。本実施例は、接続部材１０、滴下装置２０、塗布装置３０を含む。
【００１５】
図２及び図３に本考案の実施例１の立体分解図及び断面図をそれぞれ示す。
【００１６】
そのうち、前記接続部材１０は柱状を呈し、２つの接続端面１１を備え、これら接続端面１１上にそれぞれボルト１２が設けられ、さらに、前記接続部材１０の外側壁面上に吸水性を備えた粘着テープ１３が設けられ、使用者がこの粘着テープ１３を剥がすことができる。
【００１７】
前記滴下装置２０は管体２１を備え、液体を入れることができ、前記管体２１の一端に連結キャップ２０を螺設し、液体の充填口として用いると共に、前記連結キャップ２２と前記管体２１間にパッキン２３を設置し、液体が接続箇所から漏れ出るのを防ぐ。且つ、前記連結キャップ２２外側端面上にネジ孔を設け、前記連結キャップ２２を前記接続部材１０上のボルト１２に螺合する。このほか、前記管体２１の他端の端面には突起状の突起部２４を設け、前記突起部２４上に複数の通孔２５を形成し、且つ、前記突起部２４上には蓋体２６を設け、前記蓋体２６の端面上に複数の穿通孔２７を設け、この蓋体２６の穿通孔２７を回転させて前記通孔２５に合わせると、前記滴下装置２０内の液体が通孔２５から穿通孔２７を介して滴下するようにすることができる。
【００１８】
前記塗布装置３０も管体３１を備え、液体をその内部に入れることができ、前記塗布装置３０の一端には連結キャップ３５を設置し、液体の充填口として用いると共に、前記連結キャップ３５内側の端面上にネジ孔３６を形成し、前記連結キャップ３５を前記接続部材１０上の前記滴下装置２０と相対する他方の側のボルト１２に螺合することができ、さらに、前記接続部材１０と連結キャップ３５間にはパッキン３７を設置し、液体が漏れ出るのを防ぐ。このほか、前記塗布装置３０の他端には押し出し部３２を穿設し、この押し出し部３２は液体を吸収できる材質とすることができ、これにより、この押し出し部３２が押圧されると、液体が前記押し出し部３２上から塗布したい場所へ押し出される。さらに、前記押し出し部３２を設けた側の外側面上に環状溝３３を形成し、前記押し出し部３２外側にキャップ３４を被せ、前記キャップ３４の内側面上の前記環状溝３３に相対する箇所に環状突起３８を設け、前記キャップ３４を前記管体３１上に嵌置することができる。
【００１９】
使用者が本考案を使用するときは、前記滴下装置２０と塗布装置３０の管体２１、３１内にレモンやコーヒー等の香りを備えた液体など香りを提供する液体を充填し、使用時は前記粘着テープ１３を前記接続部材１０上から剥がし、使用者の衣服や体の部位または使用者の嗅覚が届く範囲内の適切な場所に貼り付けた後、前記滴下装置２０の蓋体２６を一定角度回転させ、前記蓋体２６上の穿通孔２７と前記通孔２５の位置を合わせると、前記滴下装置２０に充填された液体が前記粘着テープ１３上に付着し、この液体は使用者の好きな香りであるため、使用者の嗅覚的ニーズを満たし、さらに使用者の心理的ニーズを満足させることができる。このほか、前記塗布装置３０にも別の液体を充填することができ、前記押し出し部３２を直接カップの縁等物品上に押し当てて塗布すると、使用者が上述の物品に近づいたとき、その食べ物を食べてはいないものの前記液体の香りを嗅ぐことができ、嗅覚的ニーズを満たし、さらに使用者の心理的ニーズを満足させることができる。
【実施例２】
【００２０】
図４と図５に本考案の実施例２と実施例３の外観図をそれぞれ示す。これらの実施例においては、上述の実施例１における接続部材１０の一端にレーザーポインタ４０または口紅５０を代わりに設けたものである。このため、本考案は使用者の必要に応じてさまざまな物品を組み合わせることができ、使用者の外出時に携帯する際、香り提供装置が増えるために携帯する物品の体積が増加するということがない。
【００２１】
上述のように、使用者は前記粘着テープを前記接続部材上から剥がして嗅覚の届く範囲内に貼り付けた後、前記滴下装置の液体を前記粘着テープに付着させることで嗅覚的ニーズを満たすことができ、さらに、本考案はレーザーポインタや口紅等の物品を組み合わせることができ、携帯に便利であるため、糖尿病患者や減量中の人、習慣的摂取をやめようとしている人がある特殊な食べ物に対し欲望を感じるとき、適切に嗅覚的満足を得ることができる。
【図面の簡単な説明】
【００２２】
【図１】本考案の実施例１の立体外観図である。
【図２】本考案の実施例１の立体分解図である。
【図３】本考案の実施例１の正面断面図である。
【図４】本考案の実施例２の立体外観図である。
【図５】本考案の実施例３の立体外観図である。
【符号の説明】
【００２３】
１０      接続部材
１１      接続端面
１２      ボルト
１３      粘着テープ
２０      滴下装置
２１      管体
２２      連結キャップ
２３      パッキン
２４      突起部
２５      通孔
２６      蓋体
２７      穿通孔
３０      塗布装置
３１      管体
３２      押し出し部
３３      環状溝
３４      キャップ
３５      連結キャップ
３６      ネジ孔
３７      パッキン
３８      環状突起
４０      レーザーポインタ
５０      口紅
【図１】
0003124858.tif 000003
【図２】
0003124858.tif 000004
【図３】
0003124858.tif 000005
【図４】
0003124858.tif 000006
【図５】
0003124858.tif 000007